(57)【要約】【課題】簡単な構成によって水圧による変形を抑制しうる浄水器用活性炭フィルターを提供する。【解決手段】水道の蛇口に連結された浄水器に使用され、水道水を通過させることにより水を浄化させる円柱状の浄水槽部３０に組み込まれる活性炭フィルター４０であって、形状を円筒状形にするとともに、その中心の空洞４１に、水の粒子径よりも僅かに径の大きい複数の孔を外周面に有する円筒状形のシリンダー５０を装着してなる。シリンダー５０内部には、シリンダー５０の孔よりも径の大きいセラミック粒子７０を充填する。【選択図】      図１
2005254169.tif 000002
【特許請求の範囲】
【請求項１】
水道の蛇口に連結された浄水器に使用され、水道水を通過させることにより水を浄化させる円柱状の浄水槽部に組み込まれる活性炭フィルターであって、
形状を円筒状形にするとともに、その中心の空洞に、水の粒子径よりも僅かに径の大きい複数の孔を外周面に有する円筒状形のシリンダーを装着してなることを特徴とする浄水器用活性炭フィルター。
【請求項２】
前記シリンダーは厚さ１０ミクロンのポリエチレンからなることを特徴とする請求項１に記載の浄水器用活性炭フィルター。
【請求項３】
前記シリンダーはその両端部がそれぞれキャップで覆われ、シリンダー内部には、前記シリンダーの孔よりも径の大きいセラミック粒子が充填されていることを特徴とする請求項１又は２に記載の浄水器用活性炭フィルター。
【請求項４】
前記シリンダーはその両端部がそれぞれキャップで覆われ、シリンダー内部には、前記シリンダーの孔よりも径の大きい球状磁石が充填されていることを特徴とする請求項１乃至３のうちいずれか一つに記載の浄水器用活性炭フィルター。
【請求項５】
前記活性炭フィルターの一端部側の外周面側から通水され、水道水を、活性炭フィルター、そして前記シリンダーを通過させ、前記活性炭フィルターの他端部側の内周面側から吐水させることを特徴とする請求項１乃至４のうちいずれか一つに記載の浄水器用活性炭フィルター。
【発明の詳細な説明】
【技術分野】
【０００１】
本発明は、水道水を浄化する浄水器に使用される活性炭フィルターに関する。
【背景技術】
【０００２】
従来から、水道水に含まれる塩素などを取り除くために、多くの家庭等の水道には浄水器が取り付けられている。この浄水器の本体部分である浄水槽部（カートリッジ部）１０は、一般に、図３に示すように円柱状であり、流し台の上や台所用品の収納スペース等に設置されている。
そして、浄水槽部１０には円筒形状の活性炭フィルター２０が組み込まれている。活性炭フィルター２０に水が通過することによって水がろ過され、浄水とされる。
また、活性炭フィルター２０とは別にセラミックや磁石を設けそこに水を通過させることにより、更に水をろ過する方法もある。
【発明の開示】
【発明が解決しようとする課題】
【０００３】
しかしながら、図３に示すような浄水槽部１０は、図４に示すように、水圧によって、活性炭フィルター２０が鼓のように変形するため、活性炭フィルター２０に割れが生じる場合がある。この割れは特に活性炭フィルター２０が長くなればなる程、発生する可能性が高くなる。
そして、割れが発生すると活性炭フィルター２０がろ過剤としての役割を果たさないので、十分に浄水を生成することができないという問題がある。
【０００４】
その対策として、活性炭フィルター２０の内側にステンレス製等の網を設けて強度を図ることが考えられるが、網であると水が自由に追加するため大きな水圧を直接受けることに変わりなく、その結果、活性炭フィルター２０に割れを生じる場合がある。
【０００５】
一方、活性炭フィルター２０とは別にセラミックや磁石を設けそこに水を通過させることにより、ろ過能力を高めようとすると、セラミックの槽や磁石の槽を活性炭フィルター２０とは別に直列又は並列で設ける必要があるため、装置全体が構造上大きくなるといった問題がある。また、活性炭フィルター２０そのものにセラミックパウダーやイオン交換樹脂等を溶着させたものはあるが、ろ過能力の低下が懸念される。
【０００６】
そこで、本発明の目的とするところは、簡単な構成によって水圧による変形を抑制しうる浄水器用活性炭フィルターを提供することにある。
また、他の目的は、特に装置を大型化することなく、ろ過能力をさらに向上させることにある。
【課題を解決するための手段】
【０００７】
上記の目的を達成するために、請求項１に記載の発明は、水道の蛇口に連結された浄水器に使用され、水道水を通過させることにより水を浄化させる円柱状の浄水槽部（３０）に組み込まれる活性炭フィルター（４０）であって、
形状を円筒状形にするとともに、その中心の空洞（４１）に、水の粒子径よりも僅かに径の大きい複数の孔を外周面に有する円筒状形のシリンダー（５０）を装着してなることを特徴とする浄水器用活性炭フィルター。
【０００８】
また、請求項２に記載の発明は、前記シリンダー（５０）は厚さ１０ミクロンのポリエチレンからなることを特徴とする。
【０００９】
さらに、請求項３に記載の発明は、前記シリンダー（５０）はその両端部がそれぞれキャップ（６１，６２）で覆われ、シリンダー（５０）内部には、前記シリンダー（５０）の孔よりも径の大きいセラミック粒子（７０）が充填されていることを特徴とする。
【００１０】
また、請求項４に記載の発明は、前記シリンダー（５０）はその両端部がそれぞれキャップ（６１，６２）で覆われ、シリンダー（５０）内部には、前記シリンダー（５０）の孔よりも径の大きい球状磁石が充填されていることを特徴とする。
【００１１】
また、請求項５に記載の発明は、前記活性炭フィルター（４０）の一端部側の外周面側から通水され、水道水を、活性炭フィルター（４０）、そして前記シリンダー（５０）を通過させ、前記活性炭フィルター（４０）の他端部側の内周面側から吐水させることを特徴とする。
【００１２】
なお、括弧内の記号は、図面および後述する発明を実施するための最良の形態に記載された対応要素または対応事項を示す。
【発明の効果】
【００１３】
本発明の浄水器用活性炭フィルターによれば、例えば、浄水槽部の外周面側から通水があり水圧が活性炭フィルターにかかることが生じても、水の分子よりも僅かに径の大きい複数の孔が形成されているシリンダーが存在することにより水の圧力は受け止められる。
したがって、従来例で説明したように、活性炭フィルターが鼓のように変形し、活性炭フィルターに割れが生じることを防止することができる。
【００１４】
また、シリンダーを利用して活性炭フィルターの内側にセラミック粒子や球状磁石を入れるようにしたので、セラミック粒子や球状磁石を集合させた槽を別に設ける必要がなく、装置全体をコンパクトにすることができる。
【発明を実施するための最良の形態】
【００１５】
図１及び図２を参照して、本発明の実施形態に係る浄水器用活性炭フィルター４０について説明する。図１は浄水器用活性炭フィルター４０が組み込まれた浄水槽部３０を示す斜視図であり、図２はそのＡ−Ａ線断面図である。
浄水槽部（カートリッジ部）３０は、一般に、図１に示すように円柱状であり、流し台の上や台所用品の収納スペース等に設置されている。
そして、浄水槽部３０には円筒形状の活性炭フィルター４０が組み込まれている。また、浄水槽部３０には家庭の水道の蛇口が連結され、蛇口から供給される水道水を通過させることにより水を浄化する。
【００１６】
活性炭フィルター４０の中心に位置する空洞４１には、円筒状形のシリンダー５０が装着されている。すなわち、シリンダー５０の外径は、活性炭フィルター４０の空洞４１の径よりも小さい。
シリンダー５０は厚さ１０ミクロンのポリエチレンからなり、外周面には、水の粒子径よりも僅かに径の大きい複数の孔が形成されている。また、シリンダー５０の両端部は、それぞれキャップ６１，６２で覆われている。なお、シリンダー５０の材質はポリエチレンに限定されるものではなく、水の粒子径よりも僅かに径の大きい１０ミクロン程度の複数の孔が形成されているものであればよい。
シリンダー５０の内部には、シリンダー５０の外周面に形成された孔よりも径の大きいセラミック粒子７０が充填されている。よって、セラミック粒子７０がシリンダー５０の外部に流出することはない。セラミック粒子７０は、除菌作用やアルカリ性，ミネラル化を図る作用を有する。
【００１７】
水道水は、図１に示すように、浄水槽部３０の一端部側（下側）の外周面側から通水され、内側の活性炭フィルター４０を通過させられる。水道水が活性炭フィルター４０を通過することによって水の中の塩素が除去される。
そして水道水をさらに内側のシリンダー５０を通過させ、セラミック粒子７０に接触させる。セラミック粒子７０の作用によって、水道水は、熱伝導が高められ衛生的にされ、また水の分子が小さくされ、アルカリ性やミネラル化が図られる。また、マイナスイオンが付加される。
その後、水道水は、活性炭フィルター４０の他端部側の内周面側から吐水させるようになっている。
吐水された水道水は、図示しない電解槽に送られ、電気分解作用によってアルカリイオン水とされる。
【００１８】
これによれば、浄水槽部３０の外周面側から通水があり水圧が活性炭フィルター４０にかかることが生じても、水の分子よりも僅かに径の大きい複数の孔が形成されているシリンダー５０が存在することにより水の圧力は受け止められる。したがって、活性炭フィルター４０が鼓のように変形して割れが生じることを防止することができる。
【００１９】
また、シリンダー５０を利用して活性炭フィルター４０の内側にセラミック粒子７０を入れるようにしたので、セラミック粒子を集合させた槽を別に設ける必要がなく、装置全体をコンパクトにすることができる。
【００２０】
なお本発明の実施形態では、シリンダー５０の内部にセラミック粒子７０を充填させたが、これに加えて、あるいはこれに替えて、シリンダー５０の外周面に形成された孔よりも径の大きい球状磁石を充填させることもできる。球状磁石は、錆やスケールを吸着するとともに、水の分子を小さくさせる作用を有する。
【図面の簡単な説明】
【００２１】
【図１】本発明の実施形態に係る浄水器用活性炭フィルターが組み込まれた浄水槽部（カートリッジ）を示す斜視図である。
【図２】図１のＡ−Ａ線断面図である。
【図３】従来例に係る浄水器用活性炭フィルターが組み込まれた浄水槽部（カートリッジ）を示す斜視図である。
【図４】図３に示す浄水器用活性炭フィルターが変形する状態を示す縦断面図である。
【符号の説明】
【００２２】
１０    浄水槽部
２０    活性炭フィルター
３０    浄水槽部
４０    活性炭フィルター
４１    空洞
５０    シリンダー
６１    キャップ
６２    キャップ
７０    セラミック粒子
【図１】
2005254169.tif 000003
【図２】
2005254169.tif 000004
【図３】
2005254169.tif 000005
【図４】
2005254169.tif 000006